(57)【要約】【課題】建設現場や資材置場が傾斜していたり、段差がある場合に、これら建設現場や資材置場の外周に設けられた支持枠組の横枠に沿わせて並べ、番線を用いて連結するときに、互いに隣り合う側面体に設けた上部、中央部、下部の通孔がずれることなく、これらの通孔に番線を通して前記横枠に取り付けることができ、さらに上端部が傾斜したり段差ができることなく横一直線状となって、体裁のよいものなる仮囲い板を提供する。【解決手段】複数枚を横方向に連結可能とした板体１の下部に、下方に突出自在とした目隠し板２を取り付けたものとしている。【選択図】図１
2008291463.tif 000002
【特許請求の範囲】
【請求項１】
複数枚を横方向に連結可能とした板体（１）の下部に、下方に突出自在とした目隠し板（２）を取り付けたことを特徴とする仮囲い板。
【請求項２】
複数枚を横方向に連結可能とした板体（１）の上部に、上方に突出自在とした目隠し板（２）を取り付けたことを特徴とする仮囲い板。
【請求項３】
複数枚を横方向に連結可能とした板体（１）の下部に、下方に突出自在とした目隠し板（２）を取り付けると共に、前記板体（１）の上部に上方に突出自在とした目隠し板（２）を取り付けたことを特徴とする仮囲い板。
【請求項４】
前記板体（１）の両側端にそれぞれ側面体（３）を形成し、これら側面体（３）の上部、中央部、下部に、番線の通孔（４）をそれぞれ設けたことを特徴とする請求項１〜３のいずれかに記載の仮囲い板。
【請求項５】
前記両側面体（３）にそれぞれ嵌合部（３ａ）を形成したことを特徴とする請求項４記載の仮囲い板。
【請求項６】
前記両側面体（３）の内側に、止枠（５）を嵌め込むと共に、この止枠（５）と板体（１）の隙間（Ｓ）に前記目隠し板（２）を差し込んだものとしたことを特徴とする請求項４または５記載の仮囲い板。
【請求項７】
前記止枠（５）に止ボルト（６）を螺合し、この止ボルト（６）を締め付けることにより、前記目隠し板（２）を押圧するようにしたことを特徴とする請求項６記載の仮囲い板。
【請求項８】
前記止枠（５）にバネ（７）を組み込み、このバネ（７）の弾性力により、前記目隠し板（２）を押圧するようにしたことを特徴とする請求項６記載の仮囲い板。
【発明の詳細な説明】
【技術分野】
【０００１】
この発明は、建設現場や資材置場等で安全に作業をするために使用される仮囲い板に関するものである。
【背景技術】
【０００２】
従来の仮囲い板としては、例えば図１３、１４に示したように、板体１１の両側端を内側に折り曲げて側面体１２を形成し、この側面体１２の上部、中央部、下部にそれぞれ通孔１３を設けたものが存在する。さらに、前記板体１１の両側端には、図１５、１６に示したように、前記側面体１２を折り曲げて嵌合部１２ａを形成しているものも存在する（特許文献１）。
【０００３】
このように構成した従来の仮囲い板は、図１７に示したように、建設現場や資材置場の外周に設けられた支持枠組１０の横枠１０ａに複数枚を沿わせて並べ、互いの側面体１２を突き合わせ、互いに隣り合う側面体１２の上部、中央部、下部の通孔１３に番線Ｗを通し、これら番線Ｗをそれぞれ横枠１０ａに巻き付けることにより、前記支持枠組１０に取り付けることができるようにしている。
【０００４】
さらに、従来の仮囲い板としては、例えば図１８に示したように、支持枠組１０の横枠１０ａをまたぐようにした把持体２１を有すると共に、この把持体２１の中央部に前記横枠１０ａへの止ボルト２２を取り付け、さらに前記把持体２１の両端部を鉤状に切り欠いて前記側面体１２との係止部２３を設けた取付金具Ｍを備えたものが存在する（特許文献２）。
【０００５】
このように構成した従来の仮囲い板の取付金具は、図１９に示したように、前記互いに隣り合う側面体１２の嵌合部１２ａを突き合わせて嵌め込み、前記横枠１０ａを把持体２１で把持すると共に把持体２１の両端部の係止部２３を前記側面体１２に係止させ、止ボルト２２を捩じ込んで前記横枠１０ａに固定するようにしている。
【特許文献１】特開平６−１５８８７０号公報（第２頁、図１〜５）
【特許文献２】特開平６−３２３０４３号公報（第２頁、図４、５）
【発明の開示】
【発明が解決しようとする課題】
【０００６】
しかしながら、上記従来の仮囲い板では、建設現場や資材置場が傾斜していたり、段差があると、図２０、２１に示したように、これら建設現場や資材置場の外周に設けられた支持枠組１０の横枠１０ａに複数枚を沿わせて並べ、互いに隣り合う側面体１２を突き合わせると共に、これら側面体１２の下端部を地面Ｐに沿わせ、互いに隣り合う側面体１２どうしを連結する。この場合、図１９に示したように、取付金具Ｍを用いている部分は問題がないが、番線Ｗを用いている部分は、互いに隣り合う側面体１２に設けた上部、中央部、下部の通孔１３がずれてしまい、これらの通孔１３に番線Ｗを通すことができず、一致した個所に別に通孔を設けないと板体１１を前記支持枠組１０に取り付けることができないという問題点を有していた。
【０００７】
さらに、上記従来の仮囲い板では、図２０、２１に示したように、前記傾斜部や段差部によって板体１１の下端部が地面Ｐに沿って下がった分、板体１１の上端部も下がって、複数枚を沿わせて並べた板体１１の上端部が傾斜したり段差ができて、不揃いとなり、体裁が悪いという問題点を有していた。
【０００８】
そこで、この発明は、上記従来の問題点を解消するものであり、建設現場や資材置場が傾斜していたり、段差がある場合に、これら建設現場や資材置場の外周に設けられた支持枠組の横枠に沿わせて並べ、番線を用いて連結するときに、互いに隣り合う側面体に設けた上部、中央部、下部の通孔がずれることなく、これらの通孔に番線を通して前記横枠に取り付けることができ、さらに上端部が傾斜したり段差ができることなく横一直線状となって、体裁のよいものとなる仮囲い板を提供することを目的としてなされたものである。
【課題を解決するための手段】
【０００９】
この発明の仮囲い板は、複数枚を横方向に連結可能とした板体１の下部に、下方に突出自在とした目隠し板２を取り付けたものとしている。
【００１０】
さらに、発明の仮囲い板は、複数枚を横方向に連結可能とした板体１の上部に、上方に突出自在とした目隠し板２を取り付けたものとしている。
【００１１】
また、発明の仮囲い板は、複数枚を横方向に連結可能とした板体１の下部に、下方に突出自在とした目隠し板２を取り付けると共に、前記板体１の上部に上方に突出自在とした目隠し板２を取り付けたものとしている。
【００１２】
そして、この発明の仮囲い板は、前記板体１の両側端にそれぞれ側面体３を形成し、これら側面体３の上部、中央部、下部に、番線の通孔４をそれぞれ設けたものとしている。
【００１３】
さらに、この発明の仮囲い板は、前記両側面体３にそれぞれ嵌合部３ａを形成したものとしている。
【００１４】
また、この発明の仮囲い板は、前記両側面体３の内側に、止枠５を嵌め込むと共に、この止枠５と板体１の隙間Ｓに前記目隠し板２を差し込んだものとしている。
【００１５】
さらに、この発明の仮囲い板は、前記止枠５に止ボルト６を螺合し、この止ボルト６を締め付けることにより、前記目隠し板２を押圧するようにしている。
【００１６】
また、この発明の仮囲い板は、前記止枠５にバネ７を組み込み、このバネ７の弾性力により、前記目隠し板２を押圧するようにしている。
【発明の効果】
【００１７】
この発明の仮囲い板は、以上に述べたように構成されており、建設現場や資材置場が傾斜していたり、段差がある場合に、これら建設現場や資材置場の外周に設けられた支持枠組の横枠に沿わせて並べ、番線を用いて連結するときに、互いに隣り合う側面体に設けた上部、中央部、下部の通孔がずれることなく、これらの通孔に番線を通して前記横枠に取り付けることができ、さらに上端部が傾斜したり段差ができることなく横一直線状となって、体裁のよいものとなる。
【発明を実施するための最良の形態】
【００１８】
以下、この発明の仮囲い板の実施の形態を、図面に基づいて詳細に説明する。
【００１９】
この発明の仮囲い板は、図１〜３に示したように、複数枚を横方向に並べて連結可能とした板体１の下部に、下方に適宜寸法、突出自在とした目隠し板２を着脱自在として取り付けたものとしている。
【００２０】
さらに、この発明の仮囲い板は、図４〜５に示したように、複数枚を横方向に並べて連結可能とした板体１の上部に、上方に適宜寸法、突出自在とした目隠し板２を着脱自在として取り付けたものとすることができる。
【００２１】
また、この発明の仮囲い板は、図示していないが、複数枚を横方向に並べて連結可能とした板体１の下部に、下方に適宜寸法、突出自在とした目隠し板２を着脱自在として取り付けると共に、前記板体１の上部に、上方に適宜寸法、突出自在とした目隠し板２を着脱自在として取り付けたものとしてもよい。
【００２２】
板体１は、金属板等から構成され、両側端を内側に折り曲げてそれぞれ側面体３を形成し、これら側面体３の上部、中央部、下部の適宜位置に、番線の通孔４を一個または複数個、それぞれに設けたものとしている。さらに、前記板体１は、側面体３を折り曲げて嵌合部３ａを形成したものとしている。そして、前記板体１は、建設現場や資材置場の外周に設けられた支持枠組１０の横枠１０ａに複数枚を沿わせて並べ、互いに隣り合う側面体３を突き合わせ、これら側面体３に設けた通孔４を合致させ、その合致させた通孔４に番線（図示せず）を通すことにより連結可能としている。
【００２３】
また、前記板体１の両側面体３間の内側や、これら側面体３のそれぞれの嵌合部３ａ間の内側には、止枠５を着脱自在として嵌め込むと共に、この止枠５と板体１の隙間Ｓに前記目隠し板２を差し込んだものとしている。そして、前記止枠５には、止ボルト６を螺合したものとしており、この止ボルト６を締め付けることにより、前記目隠し板２を押圧するようにして、板体１の下部から下方に、または板体１の上部から上方に適宜寸法、突出させた状態で止めておけるようにしている。さらに、前記止枠５には、バネ７を組み込んだものとし、このバネ７の弾性力により、前記目隠し板２を押圧するようにして、板体１の下部から下方に、または板体１の上部から上方に適宜寸法、突出させた状態で止めておけるようにしてもよい。
【００２４】
目隠し板２は、金属板や合成樹脂板等から構成され、幅を前記板体１の幅と略同一とし、上下長を前記板体１の上下長の約１／３〜１／６としている。そして、この目隠し板２は、前記止ボルト６の締め付けを緩めることにより、下方または上方へ引き出したり、自重で下方に下がって、板体１の下方または上方に適宜寸法、突出させることができ、その突出させた状態で、止ボルト６を締め付けることにより、その位置で止めておけるようにしている。なお、前記目隠し板２は、止ボルト６の締め付けを緩めることにより、板体１から抜いて外せるようにしているが、外せないようにしてもよい。また、前記目隠し板２は、前記バネ７の弾性力に打ち勝つ力で、下方または上方へ引き出し、板体１の下方または上方に適宜寸法、突出させることができ、その突出させた状態にしておけば、バネ７の弾性力による押圧力が働いて、その位置で止めておけるようにしている。
【００２５】
止枠５は、金属板等から構成され、断面形状がコ字状となるように折り曲げて表面体５ａと両側面体５ｂとを形成し、止ボルト６を螺合したものでは、表面体５ａの中央部と両端寄りにネジ孔８を設け、これらネジ孔８にそれぞれ止ボルト６を螺合したものとし、バネ７を組み込んだものでは、表面体５ａの中央部と両端寄りにそれぞれバネ７の基端を止着し、これらバネ７の先端が目隠し板２に押し当てられるようにしている。さらに、前記止枠５は、両端部５ｃを前記板体１の両側面体３の内側や、これら側面体３の嵌合部３ａの内側に嵌め込める形状にしている。なお、前記止枠５は、表面体５ａに設けたネジ孔８に止ボルト６を螺合したものでは、表面体５ａには前記ネジ孔８の代わりに通孔（図示せず）を設けておき、表面５ａと両側面５ｂに囲まれた部分に螺合部材（図示せず）を固着し、前記止ボルト６を表面５ａの通孔からこの螺合部材に螺合したものとしてもよい。また、前記止枠５は、板体１の側面体３の内側や、この側面体３の嵌合部３ａの内側に嵌め込めるものとして着脱自在としているが、板体１から外せないものとしてもよい。
【００２６】
この発明の仮囲い板は、以上に述べたように構成されているので、これを使用するには、次のようにして行う。
【００２７】
先ず、この発明の仮囲い板は、建設現場や資材置場が、図６に示したように傾斜していたり、図７に示したように段差がある場合、これら建設現場や資材置場の外周に設けられた支持枠組１０の横枠１０ａに複数枚を沿わせて並べ、これらの上端部を横一直線に揃えて、互いに隣り合う側面体３を突き合わせ、これら側面体３に設けた通孔４を合致させ、その合致させた通孔４に番線（図示せず）を通すことにより、それぞれを連結する。
【００２８】
そこで、止枠５に止ボルト６を螺合したものでは、建設現場や資材置場の傾斜位置や段差位置にある板体１の止枠５に螺合した止ボルト６を緩めると、この止ボルト６による目隠し板２の押圧が解除され、この目隠し板２を下方へ引き出すことによったり、目隠し板２が自重で下方に下がって、目隠し板２の下端が地面Ｐに当たり、建設現場や資材置場の傾斜や段差によりできた隙間を塞ぎ、目隠しをすることができる。そして、前記緩めた止ボルト６を再び締め付けた状態にし、この止ボルト６により前記目隠し板２を押圧しておく。なお、通常の状態では、前記緩めた止ボルト６を再び締め付けた状態にしなくてもよいが、建設現場の振動や、強風時の風圧等の影響でがたついたり、騒音を発することがあるので、前記緩めた止ボルト６を再び締め付けた状態にしておくのが好ましい。
【００２９】
さらに、止枠５にバネ７を組み込んだものでは、建設現場や資材置場の傾斜位置や段差位置にある板体１の下部に突出自在とした目隠し板２を、バネ７の弾性力に打ち勝つ力で下方へ引き出し、目隠し板２の下端が地面Ｐに当たるようにすれば、建設現場や資材置場の傾斜や段差によりできた隙間を塞ぎ、目隠しをすることができる。
【００３０】
また、この発明の仮囲い板は、建設現場や資材置場が、図８に示したように傾斜していたり、図９に示したように段差がある場合、これら建設現場や資材置場の外周に設けられた支持枠組１０の横枠１０ａに複数枚を沿わせて並べ、互いに隣り合う側面体３を突き合わせると共に、これら側面体３の下端部を地面Ｐに沿わせ、従来例に示したような取付金具Ｍを用いて、互いに隣り合う側面体３どうしを連結する。
【００３１】
そこで、止枠５に止ボルト６を螺合したものでは、建設現場や資材置場の傾斜位置や段差位置にある板体１の止枠５に螺合した止ボルト６を緩めると、この止ボルト６による目隠し板２の押圧が解除されるので、前記傾斜部や段差部によって板体１の下端部が地面Ｐに沿って下がった分、目隠し板２を上方へ引き出して、目隠し板２の上端部を横一直線状に揃える。そして、前記緩めた止ボルト６を再び締め付けた状態にし、この止ボルト６により前記目隠し板２を押圧しておく。
【００３２】
さらに、止枠５にバネ７を組み込んだものでは、建設現場や資材置場の傾斜位置や段差差位置にある板体１の上部に突出自在とした目隠し板２を、前記傾斜部や段差部によって板体１の下端部が地面Ｐに沿って下がった分、上方へ引き出して、目隠し板２の上端部を横一直線状に揃えればよい。そして、この状態にしておけば、バネ７の弾性力による押圧力が働くので、目隠し板２はその位置で止めておけることになる。
【００３３】
したがって、この発明の仮囲い板は、建設現場や資材置場が傾斜していたり、段差がある場合にも、上端部が傾斜したり段差ができることなく横一直線状となって、体裁のよいものとなる。
【図面の簡単な説明】
【００３４】
【図１】この発明の仮囲い板の一実施形態の要部を示す斜視図である。
【図２】図１に示すこの発明の仮囲い板の要部の分解斜視図である。
【図３】この発明の仮囲い板の他の実施形態の要部を示す斜視図である。
【図４】この発明の仮囲い板のさらに他の実施形態の要部を示す斜視図である。
【図５】この発明の仮囲い板のさらに他の実施形態の要部を示す斜視図である。
【図６】この発明の仮囲い板を傾斜がある場所で使用した一状態を示す説明図である。
【図７】この発明の仮囲い板を段差がある場所で使用した一状態を示す説明図である。
【図８】この発明の仮囲い板を傾斜がある場所で使用した他の状態を示す説明図である。
【図９】この発明の仮囲い板を段差がある場所で使用した他の状態を示す説明図である。
【図１０】この発明の仮囲い板の止枠に止ボルトを螺合したものの使用状態を示す断面図である。
【図１１】この発明の仮囲い板の止枠に止ボルトを螺合したものの使用状態を示す拡大断面図である。
【図１２】この発明の仮囲い板の止枠にバネを組み込んだものの使用状態を示す拡大断面図である。
【図１３】従来の仮囲い板の一例を示す斜視図である。
【図１４】図１３に示す従来の仮囲い板のＡ−Ａ線による断面図である。
【図１５】従来の仮囲い板の他の例を示す斜視図である。
【図１６】図１５に示す従来の仮囲い板のＢ−Ｂ線による断面図である。
【図１７】従来の仮囲い板を傾斜や段差がない場所で使用した状態を示す説明図である。
【図１８】従来の取付金具を使用して仮囲い板を支持枠組の横枠に取り付けようとする状態を示す説明図である。
【図１９】従来の取付金具を使用して仮囲い板を支持枠組の横枠に取り付けた状態を示す説明図である。
【図２０】従来の仮囲い板を傾斜のある場所で使用した状態を示す説明図である。
【図２１】従来の仮囲い板を段差のある場所で使用した状態を示す説明図である。
【符号の説明】
【００３５】
１  板体
２  目隠し板
３  側面体
３ａ  嵌合部
４  通孔
５  止枠
５ａ  表面体
５ｂ  側面体
５ｃ  端部
６  止ボルト
７  バネ
８  ネジ孔
【図１】
2008291463.tif 000003
【図２】
2008291463.tif 000004
【図３】
2008291463.tif 000005
【図４】
2008291463.tif 000006
【図５】
2008291463.tif 000007
【図６】
2008291463.tif 000008
【図７】
2008291463.tif 000009
【図８】
2008291463.tif 000010
【図９】
2008291463.tif 000011
【図１０】
2008291463.tif 000012
【図１１】
2008291463.tif 000013
【図１２】
2008291463.tif 000014
【図１３】
2008291463.tif 000015
【図１４】
2008291463.tif 000016
【図１５】
2008291463.tif 000017
【図１６】
2008291463.tif 000018
【図１７】
2008291463.tif 000019
【図１８】
2008291463.tif 000020
【図１９】
2008291463.tif 000021
【図２０】
2008291463.tif 000022
【図２１】
2008291463.tif 000023